(57)【特許請求の範囲】
【請求項１】
光を電気信号に変換する光電変換部を垂直方向及び水平方向に配列した撮像手段と、
前記撮像手段を遮光するための遮光手段と、
前記撮像手段を駆動する駆動手段と、
水平同期信号及び垂直同期信号を発生する基準信号発生手段と、
前記撮像手段のリセットから前記遮光手段により前記撮像手段が遮光されるまでの露光期間の終了後、前記露光期間中に前記光電変換部に発生した光信号の読み出しを開始するまでの少なくとも一部の期間、前記水平同期信号の周期が前記光信号を読み出す場合よりも短くなるように前記基準信号発生手段を制御する制御手段と、
を有することを特徴とする撮像装置。
【請求項２】
前記制御手段は、前記露光期間終了後の次の前記垂直同期信号に同期して、前記光信号の読み出しを開始するためのパルスを出力しないように前記駆動手段を制御することを特徴とする請求項１に記載の撮像装置。
【請求項３】
前記制御手段は、前記水平同期信号の周期が前記光信号を読み出す場合よりも短くなっている場合に、前記撮像手段の垂直転送駆動及び／又は水平転送駆動を停止するように制御することを特徴とする請求項１又は２に記載の撮像装置。
【発明の詳細な説明】
【０００１】
【発明の属する技術分野】
本発明は、被写体像を撮像する撮像装置に関するものである。
【０００２】
【従来の技術】
従来の撮像装置における回路ブロック例を図３に示す。図中１は光を電気信号に変換する光電変換部を垂直方向及び水平方向に配列した固体撮像素子（ここではＣＣＤを例に取る）、２はＣＣＤの出力信号を映像信号に変換するための相関二重サンプリング回路（以下ＣＤＳ）、３はＣＤＳ出力のアナログ信号をデジタル信号に変換するためのアナログデジタル変換回路（以下ＡＤ）、４は色信号処理、輝度信号処理など各種信号処理を行うデジタル信号処理回路（以下ＤＳＰ）、５はＣＣＤの水平転送部を駆動するためのＣＣＤ水平駆動回路（以下ＨＤｒ）、６はＣＣＤの垂直転送部を駆動するためのＣＣＤ垂直駆動回路（以下ＶＤｒ）、７は基準同期信号を入力し、この基準信号によりＣＣＤの駆動および信号処理に必要な各種パルスを生成するタイミングジェネレータ（以下ＴＧ）、８はシステム全体を制御するＣＰＵ、９はフォーカス用レンズおよびズーム用レンズを駆動するためのレンズ駆動回路、１０はフォーカス用レンズおよびズーム用レンズで構成される撮影レンズ、１１は絞りとシャッターを駆動するための絞り駆動回路、１２はＣＣＤへの入射光量を制御する絞り兼シャッター、１３は２段階ストロークで構成されるレリーズスイッチ、１４は水晶発振回路を有し水平同期信号（以下ＨＤ）と垂直同期信号（以下ＶＤ）を発生する基準信号発生回路である。
【０００３】
次に上述した回路ブロックの動作を説明する。被写体像は１０の撮影レンズを通し、１２の絞りにより光量を調節され、１のＣＣＤに結像する。ここで光電変換がなされ、ＣＣＤ信号として２のＣＤＳへ出力される。１４の基準信号発生回路で生成されるメインクロック、ＨＤ、ＶＤは７のＴＧへ出力され、これらの信号を基準にＴＧではＣＣＤ水平転送パルス、ＣＣＤ垂直転送パルス、ＣＣＤフィールドシフトパルス、電子シャッターパルスが生成される。そしてＣＣＤ水平転送用パルスは５のＨＤｒへ、ＣＣＤ垂直転送用パルス、ＣＣＤフィールドシフトパルスおよび電子シャッターパルスは６のＶＤｒへ出力される。６のＶＤｒでは７のＴＧから出力されるＣＣＤ垂直転送用パルスおよびＣＣＤフィールドシフトパルスを受け、これらを組み合わせ、ＣＣＤの垂直転送部を十分に駆動できる信号振幅、周波数特性を保持した信号に変換し、ＣＣＤの垂直転送駆動部へ出力する。１のＣＣＤではこれらの信号を受け、フィールドシフトパルスを入力した時に、ＣＣＤのフォトダイオードに蓄積された電荷を垂直転送部へ出力する。垂直転送部に移動した電荷はＣＣＤ垂直転送パルスにより垂直転送路上を順序正しく水平転送路へと転送される。また電子シャッターパルスはＶＤｒでＣＣＤを十分に駆動できる信号振幅に変換された後、ＣＣＤへ出力されＣＣＤでの電荷蓄積時間（露光量）を制御する。ＣＣＤは電子シャッターパルスを入力している期間はフォトダイオードの電荷をクリアーし続け、電子シャッターパルスが停止した後、露光状態となる。５のＨＤｒではＴＧから出力されるＣＣＤ水平転送用パルスを入力し、ＣＣＤの水平転送部を十分に駆動できる信号振幅、周波数特性を保持した信号に変換し、ＣＣＤの水平転送部へ出力する。リセットゲートパルスはＴＧから直接ＣＣＤへ出力され、ＣＣＤの出力ゲート部を一定電位に固定することにより電荷電位変換を行う。ＣＣＤではこれら水平転送パルスおよびリセットゲートパルス信号を入力した時に、電荷を水平転送部から出力アンプを通して、ＣＣＤ信号としてＣＤＳへ出力する。
【０００４】
２のＣＤＳではＣＣＤ出力信号を入力し、ＣＣＤ出力信号のフィードスルー部とデータ部とのレベル差を映像信号として変換し、これによりＣＣＤ信号に含まれる低周波雑音を除去し、可変利得増幅機能により所望の感度が得られるように映像信号を増幅し、かつ直流再生をして黒レベルを固定し、３のＡＤへ出力する。
【０００５】
３のＡＤではＣＤＳ出力の映像信号を入力し、この信号をアナログ信号からデジタル信号へと変換し４のＤＳＰへ出力する。
【０００６】
４のＤＳＰではデジタルに変換された映像信号を入力し、信号処理により輝度信号および色信号を再生する。また映像信号の一部分を積分して露光制御を行うための基準信号、ホワイトバランス制御を行うための基準信号、フォーカス制御を行うための基準信号を生成する。
【０００７】
次に図１１と図１２を併せ、従来のカメラにおける撮像素子駆動方法を説明する。２段階ストロークのシャッターボタンを１段階押下（以下ＳＷ１がＯＮ）した時、カメラ内では撮影のための準備動作が行われる。まずＣＣＤを、絞り、電子シャッター、フィールドシフトパルスの組み合わせにより露光制御し、垂直方向を間引いた一部分のＣＣＤ信号を読み出す。例えば、図２に示してあるようなＲＧＢフィルターが配列されているＣＣＤの場合、１フィールド内で１水平周期毎にＲ／Ｇ列とＧ／Ｂ列が順番に出力されるように（１／４間引き欄に○がついている列を）読み出すことにより、垂直方向の画素を間引き、信号処理に適したＶＤレートになるようにＣＣＤ信号を出力する。この例では図１２の前半部（▲１▼から▲２▼）に示すごとく、ＣＣＤから読み出す信号は全てのフィールドで同じとなるように第一フィールド用フィールドシフトパルス（図１２、▲１▼から▲２▼、Ｈ７）のみを使い、第一フィールド信号（図１２、▲１▼から▲２▼、Ｉ７）のみを読み出している。さらに垂直方向８本のうち２本を読み出すのみなので、信号を読み出すフィールドレートは撮影時の全ライン読み出すときのフィールドレートとは異なり２倍速い。
【０００８】
ＣＣＤはこの撮影準備動作のときには、あらかじめ決められたＶＤにより駆動され、この１ＶＤ期間に１フィールド分のＣＣＤ信号を出力する。上述したようにＣＣＤ内の垂直方向８本のうち２本に間引いた信号がいつも読み出される。ＣＣＤのフォトダイオードに蓄積された電荷はＶＤに同期した第一フィールド用フィールドシフトパルスにより垂直転送路へと移動する。
【０００９】
ＣＣＤから出力された信号はＣＤＳにより信号処理に適した映像信号に変換され、ＡＤでアナログ信号からデジタル信号に変換される。そしてこの信号からＤＳＰでは露光制御のための基準信号（以下ＡＥ評価値）を生成する。ＣＰＵはこのＡＥ評価値をあらかじめ決められた値（適正レベル）内にいれるように、絞り値とシャッタースピードを演算により決定し、この適正な絞り値になるように絞りを変化させるとともに、電子シャッタースピードを適正な値に変化させる。通常ＳＷ１がＯＮされ続けると、この動作が繰り返し行われ、常に適正な露光量となるように制御される。
【００１０】
また合焦制御が同時に行われ、同じくＤＳＰで合焦制御のための基準信号（以下ＡＦ評価値）が生成される。ＣＰＵはこのＡＦ評価値をあらかじめ決められた値（合焦レベル）内にいれるように、フォーカスレンズの移動制御を行う。すなわちＡＦ評価値を合焦レベル内にいれることにより、鮮明な被写体像を得ることができる。通常ＳＷ１をＯＮの状態に保持すれば、一度合焦した位置にフォーカスレンズは固定される。
【００１１】
さらにホワイトバランス制御が行われ、同じくＤＳＰで色バランス制御のための基準信号（以下ＷＢ評価値）を生成する。このＷＢ評価値から白のずれ量を演算することにより色バランスが決定される。これは異なる光源下または日向日陰の違いがあっても、白色を忠実な白色に再現させるための色バランス補正である。
【００１２】
次に２段階ストロークのシャッターボタンを２段階押下（以下ＳＷ２がＯＮ）したとき、カメラは本撮影動作へと移行する。
【００１３】
まず撮影準備動作時に決定した撮影条件に見合うように、電子シャッター、絞り、メカシャッターとを組み合わせ、露光制御が行われる。露光の開始は電子シャッターを停止させ、フォトダイオードのクリアーを停止させた時点から始まり、露光の終了はメカシャッターを閉じることにより行う。したがって撮影準備から本撮影に移行するＶＤ（図１２、▲３▼）に同期して電子シャッター（図１２、▲３▼、Ｄ７）を一定期間出力させることにより露光を開始する。次にＣＰＵからシャッタークローズ制御信号を出力し（図１２、▲３▼、Ｅ７）、絞り兼シャッター制御回路により一瞬の内にシャッターを閉じさせ（図１２、▲３▼、Ｆ７）、露光を終了させる。しかし実際にはシャッターを閉じきるまでにはある程度の時間を要するため、この期間をあらかじめ考慮に入れて、露光時間が適切になるようにＣＰＵはシャッタークローズ制御信号を出力する。したがって露光期間は（図１２、▲３▼、Ｇ７）に示す期間となる。
【００１４】
ＣＰＵはシャッタークローズ制御信号を出力し、メカシャッターを閉じた後、次のＶＤ（図１２、▲４▼）に同期した第一フィールド用フィールドシフトパルスを出力するようにＴＧへ命令を出す。これによりＴＧからはこのＶＤに同期した第一フィールド用フィールドシフトパルス（図１２、▲４▼、Ｈ７）が出力され、第一フィールドの電荷が垂直転送路へ出力される。このときＣＣＤからは垂直方向に一ラインづつ間引いた一部分の映像信号が読み出される。図１に示してあるＲＧＢフィルターが配列されているＣＣＤの場合、Ｒ／Ｇ列とＧ／Ｂ列とに分け、夫々の信号を１フィールド内に順番に読み出す。第一フィールド読み出し欄に○がついている列を第一フィールド用フィールドシフトパルスにより最初の１ＶＤ期間に読み出す（図１２、▲４▼、Ｉ７）。さらにＣＰＵは連続した次のＶＤ（▲５▼）に同期した第二フィールド用シフトパルスを出力するようにＴＧへ命令を出す。これによりＴＧからは連続した次のＶＤに同期した第二フィールド用フィールドシフトパルスが出力（図１２、▲５▼、Ｊ７）され、第二フィールドの電荷が垂直転送路に出力される。図２の第２フィールド読み出し欄に○がついている列が第二フィールド用フィールドシフトパルスにより第一フィールドに引き続き連続した次のＶＤ期間に読み出される（図１２、▲５▼、Ｋ７）。これにより１ＶＤ期間内に垂直方向１ラインづつ間引いた信号が読み出され、連続した２ＶＤ期間でＣＣＤ内の全画素が読み出される。またＣＣＤから読み出すライン数は決まっているため、１ＶＤのレートはこの読み出しライン数に依存するＨＤ本数によって決まる。
【００１５】
つまりＣＣＤはあらかじめ決められたＨＤ，ＶＤ周期により駆動され、この１ＨＤ期間に１ラインのＣＣＤ信号を出力し、１ＶＤ期間に１フィールドのＣＣＤ信号を出力する。通常撮影時にはＣＣＤ内の垂直方向１ラインごとに間引いた映像を１フィールドとし、はじめの１ＶＤで最初の１フィールド（第一フィールド）が読み出され、次の連続したＶＤでＣＣＤ内に間引き取り残された次の１フィールド（第二フィールド）が読み出される。連続した２ＶＤ期間によりＣＣＤ内のすべての電荷（完全な１枚の映像）を読み出すことができる。
【００１６】
このためにＣＰＵは基準信号発生回路で生成されるＨＤの本数をカウントし、規定の本数をカウント後、ＶＤ信号を出力するように命令をする。したがっていつも同じサイクルでＨＤとＶＤをＴＧへ供給することができる。ＴＧはＶＤを基準に各種パルスを生成しているため、ＶＤを入力した時点からＨＤ本数のカウントを開始し、このカウント数によって一連のパルスを出力している。例えばＴＧはＶＤ入力後、ＨＤの８カウント後にフィールドシフトパルスを出力するようにプログラムされている。ＶＤパルスを入力後、カウンターはリセットされカウントし直される。
【００１７】
一方垂直転送路へ出力された電荷はＶＤ内のＨＤに同期した４位相の垂直転送パルス（図１１、Ｐ７，Ｑ７，Ｒ７，Ｓ７）により１ＨＤ期間毎に水平転送路へ順番に送り出される。またＴＧから出力される２位相の水平転送パルス（図１１、Ｎ７，Ｏ７）をＨＤｒ経由で水平転送路に出力し、１Ｈ期間内に水平方向の電荷をすべてＣＣＤからＣＤＳへ出力する。これにより１Ｖ期間内に１フィールド分の電荷をＣＣＤからすべて出力させることができる。
【００１８】
次に露光条件によりシャッタースピードが変化したときの状態を説明する。上記に露光から電荷読み出しまでの動作を説明したように、電子シャッターパルスが停止し、シャッタークローズ命令がＣＰＵから出力され、メカシャッターが閉じるまでの期間が露光期間（図１２、▲３▼、Ｇ７）となり、この時点から次の読み出しパルスが出力されるまでが、ＣＣＤのフォトダイオードに電荷が保持される期間となる（図１２、▲３▼、Ｌ７）。高速シャッターを使用する場合、露光期間は短くなるが、ＣＣＤでの電荷保持期間が長くなる。一方１ＶＤ期間内で収まるような低速のシャッタースピードを使用した場合、電子シャッターパルスが停止し、シャッタークローズ命令がＣＰＵから出力され（図１２、▲３▼、Ｅ８）、メカシャッターが閉じるまでの期間が露光期間（図１２、▲３▼、Ｇ８）となり、この時点から次の読み出しパルスが出力されるまでが、ＣＣＤのフォトダイオードに電荷が保持される期間となる（図１２、▲３▼、Ｌ８）。逆に露光期間は長くなるが、ＣＣＤの電荷保持期間は短くなる。さらに１ＶＤ期間を超えるような長秒時シャッタースピードとなった場合、電子シャッターパルスが停止し、シャッタークローズ命令がＣＰＵから出力され（図１２、▲３▼、Ｅ９）、メカシャッターが閉じるまでの期間が露光期間（図１２、▲３▼、Ｇ９）となり、この時点から次の読み出しパルスが出力されるまでが、ＣＣＤのフォトダイオードに電荷が保持される期間となる（図１２、▲３▼、Ｌ９）。メカシャッターが閉じるタイミングが次に出現するＶＤに近いと、ＣＣＤの電荷保持期間が短くなり、逆にメカシャッターが閉じるタイミングが次に出現するＶＤに遠くなると、ＣＣＤの電荷保持期間が長くなる。図１２に示すような場合、低速シャッター、高速シャッター、長秒時シャッターを使った順に、ＣＣＤのフォトダイオードに電荷が保持される期間が長くなり、この期間は常に一定とはならず、シャッタースピードの条件によってばらつきが生じてくる。
【００１９】
一般的に知られているように、ＣＣＤの電荷保持期間が長くなると、保持期間とともに指数関数的にフォトダイオード上の電荷が減少し、露光により電荷量を一定にしたとしても、ＣＣＤの電荷保持期間が異なると、垂直転送路へ出力される電荷量が異なり、結果的にＤレンジの異なる画像となる。
【００２０】
またＣＣＤ内では常に暗電圧が発生しているため、ＣＣＤの電荷保持期間が長くなると、その分暗電圧が増えるため、ノイズが増えることになる。これは温度変化にも依存し、８度の上昇により約２倍の暗電圧が増え、ＣＣＤを電荷保持状態にしておくと、デバイス自体の温度上昇により、暗電圧に対して明らかに不利となる。
【００２１】
【発明が解決しようとする課題】
しかしながら上記従来例では上述したように、シャッターが閉じるタイミングにより、以下のような点が課題であった。
【００２２】
まず、電荷を長期間フォトダイオード等に保持し続けなければならず、暗電流が増え、ノイズが目立つ画像になる。また、電荷をフォトダイオード等に長期間保持すると、その保持期間により、フォトダイオードの電荷減少を生じることになり、Ｄレンジの小さい画像になる。
【００２３】
また、露光時間を異なるようにした場合、フォトダイオード等に電荷を保持し続ける期間が異なり、暗電流にむらが生じることになる。また、フォトダイオードに電荷を保持し続ける期間が異なり、Ｄレンジにむらが生じることになる。
【００２４】
上記課題に鑑み、露光時間が終わってから、露光によって生じた信号の読み出しを開始するまでの時間を短くして、暗電流が増えること等を防止することを目的とする。
【００２５】
また、露光時間が異なる場合であっても、露光時間が終わってから、露光によって生じた信号の読み出しを開始するまでの時間を同じにし、暗電流むらを低減することを他の目的とする。
【００２６】
【課題を解決するための手段】
本発明は、上記課題を解決するためになされたもので、光を電気信号に変換する光電変換部を垂直方向及び水平方向に配列した撮像手段と、前記撮像手段を遮光するための遮光手段と、前記撮像手段を駆動する駆動手段と、水平同期信号及び垂直同期信号を発生する基準信号発生手段と、前記撮像手段のリセットから前記遮光手段により前記撮像手段が遮光されるまでの露光期間の終了後、前記露光期間中に前記光電変換部に発生した光信号の読み出しを開始するまでの少なくとも一部の期間、前記水平同期信号の周期が前記光信号を読み出す場合よりも短くなるように前記基準信号発生手段を制御する制御手段と、を有することを特徴とする。
【００２７】
【発明の実施の形態】
まず、実施の形態１乃至３で共通である撮像装置の全体ブロック図の構成については、上記で説明した図１の撮像装置と同じであるので説明を省略する。
【００２８】
（実施の形態１）
図３の回路ブロックおよび図４のタイミングチャート図を用い、本実施の形態について説明する。
【００２９】
まずＳＷ１をＯＮした時、カメラ内では撮影のための準備動作が行われる。まず撮像手段であるＣＣＤを、絞り、電子シャッター、フィールドシフトパルスの組み合わせにより露光制御し、垂直方向を間引いた一部分のＣＣＤ信号を読み出す。例えば、従来例と同じく図２に示してあるようなＲＧＢフィルターが配列されているＣＣＤの場合、１フィールド内で１水平周期毎にＲ／Ｇ列とＧ／Ｂ列が順番に出力されるように（１／４間引き欄に○がついている列を）読み出すことにより、垂直方向の画素を間引き、信号処理に適したレートになるようにＣＣＤ信号を出力する。この例では図４の前半部（▲１▼から▲２▼）に示すごとく、ＣＣＤから読み出す信号は全てのフィールドで同じとなるように第一フィールド用フィールドシフトパルス（図４、▲１▼から▲２▼、Ｈ１）のみを使い、第一フィールド信号（図４、▲１▼から▲２▼、Ｉ１）のみを読み出している。さらに垂直方向８本のうち２本を読み出すのみなので、信号を読み出すフィールドレートは撮影時に全ラインを読み出すときのフィールドレートとは異なり２倍速い。
【００３０】
ＣＣＤはこの撮影準備動作のときには、あらかじめ決められたＶＤにより駆動され、この１ＶＤ期間に１フィールド分のＣＣＤ信号を出力する。上述したようにＣＣＤ内の垂直方向８本のうち２本を読み出した間引きの信号がいつも読み出される。ＣＣＤのフォトダイオードに蓄積された電荷はＶＤに同期した第一フィールド用フィールドシフトパルスにより垂直転送路へと移動する。
【００３１】
ＣＣＤから出力された信号はＣＤＳにより信号処理に適した映像信号に変換され、ＡＤでアナログ信号からデジタル信号に変換される。そしてこの信号からＤＳＰでは露光制御のためのＡＥ評価値を生成する。ＣＰＵはこのＡＥ評価値をあらかじめ決められた値（適正レベル）内にいれるように、絞り値とシャッタースピードを演算により決定し、適正な絞り値になるように絞りを変化させるとともに、電子シャッタースピードを適正な値に変化させる。通常ＳＷ１がＯＮされ続けると、この動作が繰り返し行われ、常に適正な露光量となるように制御される。
【００３２】
また合焦制御が同時に行われ、同じくＤＳＰで合焦制御のためのＡＦ評価値が生成される。ＣＰＵはこのＡＦ評価値をあらかじめ決められた値（合焦レベル）内にいれるように、フォーカスレンズの移動制御を行う。すなわちＡＦ評価値を合焦レベル内にいれることにより、鮮明な被写体像を得ることができる。通常ＳＷ１をＯＮの状態に保持すれば、一度合焦した位置にフォーカスレンズは固定される。
【００３３】
さらにホワイトバランス制御が行われ、同じくＤＳＰで色バランス制御のためのＷＢ評価値を生成する。このＷＢ評価値から白のずれ量を演算することにより色バランスが決定される。これは異なる光源下または日向日陰の違いがあっても、白色を忠実な白色に再現させるための色バランス補正である。
【００３４】
次にＳＷ２をＯＮすると、カメラは本撮影動作へと移行する。
【００３５】
まず撮影準備動作時に決定した撮影条件に見合うように、電子シャッター、絞り、メカシャッターとを組み合わせ、露光制御が行われる。露光の開始は電子シャッターを停止させ、フォトダイオードのクリアーを停止させた時点から始まり、露光の終了はメカシャッターを閉じることにより行う。したがって撮影準備から本撮影に移行するＶＤ（図４、▲３▼、Ａ１）に同期して電子シャッター（図４、▲３▼、Ｄ１）を一定期間出力させることにより露光を開始する。次にＣＰＵからシャッタークローズ制御信号を出力し（図４、▲３▼、Ｅ１）、絞り兼シャッター制御回路により一瞬の内にシャッターを閉じさせ（図４、▲３▼、Ｆ１）、露光を終了させる。しかし実際にはシャッターを閉じきるまでにはある程度の時間を要するため、この期間をあらかじめ考慮に入れて、露光時間が適切になるようにＣＰＵはシャッタークローズ制御信号を出力する。したがって露光期間は（図４、▲３▼、Ｇ１）に示す期間となる。
【００３６】
制御手段であるＣＰＵはシャッタークローズ制御信号を出力し、メカシャッターを閉じた後、次のＶＤ（図４、▲４▼、Ａ１）までの期間、ＨＤのレートを高速（図１０、Ｂ４）にしてＴＧへＨＤを供給するように、基準信号発生回路に命令する。例えば１ＶＤが５２５本のＨＤで構成されているとすると、ＣＰＵはＶＤを出力してから次のＶＤを出力するまでに５２５本のＨＤをカウントし、この規定の本数をカウント後、基準信号発生回路に対して新たなＶＤを出力するように命令する。そして、シャッターを閉じたことを検出後、規定のＨＤ本数後新たなＶＤを出力するまでの期間（図４、▲４▼、Ｃ１）、ＨＤのレートを速くするように基準信号発生回路へＣＰＵは命令を出す。
【００３７】
ＴＧはＶＤを基準に各種パルスを生成しているため、新たなＶＤを入力した時点からＨＤ本数のカウントを開始し、このカウント数によって一連のパルスを出力している。例えばＴＧはＶＤ入力後ＨＤの８カウント後にフィールドシフトパルスを出力するといったようにプログラムされている。ＶＤパルスを入力後、カウンターはリセットされカウントし直される。
【００３８】
以上に説明したように、露光期間の終了後からフィールドシフトパルス（図４、▲４▼、Ｈ１）を出力するまでの間のＨＤ変更期間で、ＨＤを高速に駆動するように、ＣＰＵが基準信号発生回路を制御することによって、電荷をフォトダイオード内で保持しておく期間を極力短くできる。
【００３９】
ここで、ＨＤレートを高速にしているときの水平転送パルス、垂直転送パルスの動作状態について、図１０を用いて説明する。
【００４０】
ＨＤレートを高速にしているとき（図１０、Ｂ４）は、連続に出力しつづけるか（図１０、Ｎ４，Ｏ４）、または水平ブランキング期間以外（垂直転送パルスが停止している期間）に出力させるか（図１０、Ｎ５，Ｏ５）、またはまったく出力させない状態（図１０、Ｎ６，Ｏ６）にしておく。また、垂直転送パルスに関しては、通常通り４位相のパルスを出力させても（図１０、Ｐ５，Ｑ５，Ｒ５，Ｓ５）、又は、まったく出力させない状態（図１０、Ｐ４，Ｑ４，Ｒ４，Ｓ４）にしておく。
【００４１】
垂直転送パルス、水平転送パルスを停止させると、ＣＣＤ駆動のための消費電流を抑えることができる。
【００４２】
次に、露光期間にＣＣＤのフォトダイオードに発生した光電荷の読み出しについて説明する。
【００４３】
ＣＣＤはあらかじめ決められたＨＤ周期により駆動されるように設計してあるため、ＨＤのレートを変更してしまうと電荷の転送が正しく行われないことが予想される。垂直転送路に電荷が取り残されると、次のフィールドシフトパルスが入力されフォトダイオードから電荷が転送されたときに重なり合ってしまう。
【００４４】
これを防ぐために本撮影に移行した最初のＶＤに同期したフィールドシフトパルスは出力しないようにＴＧへＣＰＵから命令を出す。これによりＣＣＤ出力を得るために第一フィールド用フィールドシフトパルスが出力され、第一フィールドの電荷が垂直転送路へ出力されるときには、垂直転送路は空の状態になっている。
【００４５】
ＨＤのカウントを行い規定のカウント数になった時（図４、▲４▼）、ＣＰＵからは基準信号発生回路へＶＤを出力するように命令するとともに、この時点からＨＤのレートを正規のレートに戻してＴＧへ出力するように命令する。またこのＶＤに同期した第一フィールド用フィールドシフトパルスを出力するようにＴＧへ命令を出す。これによりＴＧはこのＶＤに同期した第一フィールド用フィールドシフトパルスを出力し、ＣＣＤは第一フィールドの電荷を垂直転送路へ移動させる。このときＣＣＤからは垂直方向に一ラインづつ間引いた一部分の映像信号が読み出される。図１に示してあるＲＧＢフィルターが配列されているＣＣＤの場合、Ｒ／Ｇ列とＧ／Ｂ列とに分け、夫々の信号を１フィールド内に順番に読み出す。第一フィールド読み出し欄に○がついている列を第一フィールド用フィールドシフトパルス（図４、▲４▼、Ｈ１）により最初の１ＶＤ期間に読み出す（図４、▲４▼、Ｉ１）。さらにＣＰＵは連続した次のＶＤに同期した第二フィールド用フィールドシフトパルスを出力するようにＴＧへ命令を出す。これによりＴＧからは連続した次のＶＤ（図４、▲５▼、Ａ１）に同期した第二フィールド用フィールドシフトパルスが出力され（図４、▲５▼、Ｊ１）、第二フィールドの電荷が垂直転送路に出力される。図２の第２フィールド読み出し欄に○がついている列が第二フィールド用フィールドシフトパルスにより第一フィールドに引き続き次のＶＤ期間に読み出される（図４、▲５▼、Ｋ１）。これにより１ＶＤ期間内に垂直方向１ラインづつ間引いた信号が読み出され、連続した２ＶＤ期間でＣＣＤ内の全画素が読み出される。
【００４６】
垂直転送路へ出力された電荷はＨＤに同期した４位相の垂直転送パルス（図１１、Ｐ７，Ｑ７，Ｒ７，Ｓ７）により１Ｈ毎に水平転送路へ順番に送り出される。またＴＧから出力される２位相の水平転送パルス（図１１、Ｎ７，Ｏ７）をＨＤｒで水平転送路に出力し、１Ｈ期間内に水平方向の電荷をすべてＣＣＤからＣＤＳへ出力する。これにより１Ｖ期間内に一フィールド分の電荷をＣＣＤからすべて出力させることができる。
【００４７】
（実施の形態２）
図３及び図５を用い、本実施の形態における撮像装置について説明する。まずＳＷ１をＯＮした時、カメラ内では撮影のための準備動作が行われる。まずＣＣＤを、絞り、電子シャッター、フィールドシフトパルスの組み合わせにより露光制御し、垂直方向を間引いた一部分のＣＣＤ信号を読み出す。例えば、実施の形態１と同じく図２に示してあるようなＲＧＢフィルターが配列されているＣＣＤの場合、１フィールド内で１水平周期毎にＲ／Ｇ列とＧ／Ｂ列が順番に出力されるように（１／４間引き欄に○がついている列を）読み出すことにより、垂直方向の画素を間引き、信号処理に適したレートになるようにＣＣＤ信号を出力する。この例では図５の前半部（▲１▼から▲２▼）に示すごとく、ＣＣＤから読み出す信号は全てのフィールドで同じとなるように第一フィールド用フィールドシフトパルス（図５、▲１▼から▲２▼、Ｈ２）のみを使い、第一フィールド信号（図５、▲１▼から▲２▼、Ｉ２）のみを読み出している。さらに垂直方向８本のうち２本を読み出すのみなので、信号を読み出すフィールドレートは撮影時に全ラインを読み出すときのフィールドレートとは異なり２倍速い。
【００４８】
ＣＣＤはこの撮影準備動作のときには、あらかじめ決められたＶＤにより駆動され、この１ＶＤ期間に１フィールド分のＣＣＤ信号を出力する。上述したようにＣＣＤ内の垂直方向８本のうち２本を読み出した間引きの信号がいつも読み出される。ＣＣＤのフォトダイオードに蓄積された電荷はＶＤに同期した第一フィールド用フィールドシフトパルスにより垂直転送路へと移動する。
【００４９】
ＣＣＤから出力された信号はＣＤＳにより信号処理に適した映像信号に変換され、ＡＤでアナログ信号からデジタル信号に変換される。そしてこの信号からＤＳＰでは露光制御のためのＡＥ評価値を生成する。ＣＰＵはこのＡＥ評価値をあらかじめ決められた値（適正レベル）内にいれるように、絞り値とシャッタースピードを演算により決定し、適正な絞り値になるように絞りを変化させるとともに、電子シャッタースピードを適正な値に変化させる。通常ＳＷ１がＯＮされ続けると、この動作が繰り返し行われ、常に適正な露光量となるように制御される。
【００５０】
また合焦制御が同時に行われ、同じくＤＳＰで合焦制御のためのＡＦ評価値が生成される。ＣＰＵはこのＡＦ評価値をあらかじめ決められた値（合焦レベル）内にいれるように、フォーカスレンズの移動制御を行う。すなわちＡＦ評価値を合焦レベル内にいれることにより、鮮明な被写体像を得ることができる。通常ＳＷ１をＯＮの状態に保持すれば、一度合焦した位置にフォーカスレンズは固定される。
【００５１】
さらにホワイトバランス制御が行われ、同じくＤＳＰで色バランス制御のための基準信号（以下ＷＢ評価値）を生成する。このＷＢ評価値から白のずれ量を演算することにより色バランスが決定される。これは異なる光源下または日向日陰の違いがあっても、白色を忠実な白色に再現させるための色バランス補正である。
【００５２】
次にＳＷ２をＯＮすると、カメラは本撮影動作へと移行する。
【００５３】
まず撮影準備動作時に決定した撮影条件に見合うように、電子シャッター、絞り、メカシャッターとを組み合わせ、露光制御が行われる。露光の開始は電子シャッターを停止させ、フォトダイオードのクリアーを停止させた時点から始まり、露光の終了はメカシャッターを閉じることにより行う。したがって撮影準備から本撮影に移行するＶＤ（図５、▲３▼、Ａ２）に同期して電子シャッター（図５、▲３▼、Ｄ２）を一定期間出力させることにより露光を開始する。次にＣＰＵからシャッタークローズ制御信号を出力し（図５、▲３▼、Ｅ２）、絞り兼シャッター制御回路により一瞬の内にシャッターを閉じさせ（図５、▲３▼、Ｆ２）、露光を終了させる。しかし実際にはシャッターを閉じきるまでにはある程度の時間を要するため、この期間をあらかじめ考慮に入れて、露光時間が適切になるようにＣＰＵはシャッタークローズ制御信号を出力する。したがって露光期間は（図５、▲３▼、Ｇ２）に示す期間となる。
【００５４】
ＣＰＵはシャッタークローズ制御信号を出力し、メカシャッターを閉じた後、連続したＶＤ周期を守らずに、直ちにＶＤ信号をＴＧへ出力（図５、▲４▼、Ａ２）するように基準信号発生回路に命令し、これによりＴＧをリセットする。今本撮影動作時の１ＶＤが５２５本のＨＤで構成されているとする。ＣＰＵはシャッターを閉じたことを検出し、ｋ＊水平周期（ＨＤ）時間（ｋは１から５２５まで可変）経過した後、次のＶＤを出力するように基準信号発生回路へ命令する。
【００５５】
ＴＧはＶＤを基準に各種パルスを生成しているため、ＶＤを入力すると、その時点から新たな一連のパルスを出力することができる。ＴＧはＶＤパルス入力後、ＨＤパルスの本数をカウントし、例えば８カウント後にフィールドシフトパルスを出力するようにプログラムされている。
【００５６】
ＶＤパルスを入力後、カウンターはリセットされカウントし直されるので、ＶＤとフィールドシフトパルスの位相関係はいつも同じに保たれる。このように構成しておくと、ＶＤの周期性に捕らわれず、ＶＤパルスが入力され一定期間（ここでは８ＨＤ）後にフィールドシフトパルスを出力し、ＣＣＤのフォトダイオードから電荷を読み出すことができる。
【００５７】
したがってＣＰＵはメカシャッターが閉じたことを検出または予測して、その時点からいつも同じ間隔でＶＤをＴＧへ出力させることにより、シャッタースピードに関わらずメカシャッターが閉じた後いつも一定間隔でＣＣＤから信号を読み出すことができる。
【００５８】
一方ＣＣＤはあらかじめ決められたＶＤ周期により駆動され、この１ＶＤにより１フィールドの映像信号を出力する。したがってＶＤの周期を短くしてしまうと、垂直転送路に出力された電荷をすべて水平転送路へ出力できなくなる。垂直転送路に取り残された電荷は、次のフィールドシフトパルスが入力されフォトダイオードから電荷が転送されたときにお互いに重なり合ってしまう。これを防ぐこと及び垂直転送路へ漏れこんだスミアと垂直転送路上に発生する暗電圧を除去することを目的に、垂直転送パルスを数Ｈ期間内に連続して高速に垂直転送路に出力する。
【００５９】
これらは電荷を垂直転送路に出力する直前に行うことにより最大の効果が得られるため、フィールドシフトパルスが出力される直前に垂直転送パルスを連続して高速に出力させなければならない。
【００６０】
例えばこの高速転送を１Ｈ期間に約３２段分転送できるようにパルスを出力し、２３Ｈ期間高速転送を繰り返すと、トータル７３６段分転送することができる。垂直転送ラインは５２５本分であるが、高速に転送するため電荷の転送効率が十分に得られないことを考慮し、通常総垂直ライン数よりも多めに設定してある。したがってフィールドシフトパルスを出力する２３Ｈ手前には少なくとも高速転送パルスを出力していなければならない。
【００６１】
今ＶＤからフィールドシフトパルスまで８Ｈ期間としているので、ＶＤから１５Ｈ手前から高速に垂直転送転送パルスが出力されなければならない。数Ｈの余裕をもって２０Ｈ前後手前からの出力でもかまわない。
【００６２】
本撮影動作時に１ＶＤが１／５２５倍のＨＤに設定されていれば（１ＶＤ内にＨＤパルスが５２５本存在する）、５１０Ｈ目に高速垂直転送パルスを出力させることになる。
【００６３】
ＴＧはＶＤによってリセットされてからＨＤをカウントし始め、５１０Ｈカウント後に高速転送パルスを出力する（図５、▲４▼、Ｍ２）。したがってこのＶＤ期間はＣＣＤ内に電荷を保持していなければならない（図５、▲４▼、Ｌ２）。この期間を短くするために、本実施の形態ではＶＤから高速転送パルスを出力するまでの５１０Ｈの期間を通常のＨＤレートよりも高速なレートに設定し、５１０Ｈまでの期間を短縮させるようにしている（図５、▲４▼、Ｂ２）。
【００６４】
ＨＤレートを通常の約１０倍の速さにすると、基準信号発生回路は通常ＨＤレートにおいて５１Ｈ期間にＨＤレートを高速にしてＨＤパルスをＴＧへ出力し、この後通常のＨＤレートに戻しかつ高速な垂直転送パルスを出力させる。これにより１ＶＤが５２５本のＨＤを必要としていたところ、約７４ＨＤ（通常レート）の周期に早めることができる。
【００６５】
これにより本撮影に移行し、最初のＶＤに同期した第一フィールド用フィールドシフトパルス（図５、▲３▼、Ｈ２）を出力しても、このときに垂直転送路に出力した電荷はすべてＣＣＤの外に吐き出すことができる。
【００６６】
ただし、実施の形態１で説明したように、ＶＤと同期したフィールドシフトパルスを禁止しておいてもかまわない。
【００６７】
また、露光期間の終了後から高速掃き出し（図５、▲５▼、Ｍ２）をするまでの間のＨＤ変更期間で、ＨＤを高速に駆動するように、ＣＰＵが基準信号発生回路を制御することによって、電荷をフォトダイオード内で保持しておく期間を極力短くできる。
【００６８】
ここで、ＨＤレートを高速にしているときの水平転送パルス、垂直転送パルスの動作状態について、図１０を用いて説明する。
【００６９】
ＨＤレートを高速にしているとき（図１０、Ｂ４）は、連続に出力しつづけるか（図１０、Ｎ４，Ｏ４）、または水平ブランキング期間以外（垂直転送パルスが停止している期間）に出力させるか（図１０、Ｎ５，Ｏ５）、またはまったく出力させない状態（図１０、Ｎ６，Ｏ６）にしておく。また、垂直転送パルスに関しては、通常通り４位相のパルスを出力させても（図１０、Ｐ５，Ｑ５，Ｒ５，Ｓ５）、又は、まったく出力させない状態（図１０、Ｐ４，Ｑ４，Ｒ４，Ｓ４）にしておく。
【００７０】
垂直転送パルス、水平転送パルスを停止させると、ＣＣＤ駆動のための消費電流を抑えることができる。
【００７１】
次に、ＨＤレートを通常のレートに戻し、垂直転送パルスを高速にした場合の動作について図１１を用いて説明する。
【００７２】
通常１ＨＤ（図１１、Ｂ１）につき１ライン分の電荷を水平転送路へ出力するように垂直転送パルスは動作するが（図１１、Ｐ７，Ｑ７，Ｒ７，Ｓ７）する。しかし、高速垂直転送の場合、この例では１ＨＤにつき３２ライン分の電荷を水平転送路へ出力するように垂直転送パルスは動作する（図１１、Ｐ８、Ｑ８，Ｒ８，Ｓ８）。
【００７３】
次に、露光期間にＣＣＤのフォトダイオードに発生した光電荷の読み出しについて説明する。
【００７４】
さてＣＰＵはシャッタークローズ制御信号を出力（図５、▲３▼、Ｅ２）後、メカシャッターが閉じられたことを検出または予測した後、一定期間を置いてＶＤ信号をＴＧへ出力するように基準信号発生回路へ命令を出し、基準信号発生回路からＶＤをＴＧへ出力することによりＴＧをリセットする。
【００７５】
このＶＤから次のＶＤまでの期間、高速レートのＨＤと通常レートのＨＤ（高速転送用）を組み合わせ、規定のＨＤカウント（ここでは５２５本）後に、ＶＤパルスをＴＧへ出力する（図５、▲５▼、Ａ２）。ＴＧはこのＶＤに同期した第一フィールド用フィールドシフトパルスを出力し（図５、▲５▼、Ｈ２）、ＣＣＤは第一フィールドの電荷を垂直転送路へ移動させる。このときＣＣＤからは垂直方向に一ラインづつ間引いた一部分の映像信号が読み出される。図１に示してあるＲＧＢフィルターが配列されているＣＣＤの場合、Ｒ／Ｇ列とＧ／Ｂ列とに分け、夫々の信号を１フィールド内に順番に読み出す。第一フィールド読み出し欄に○がついている列を第一フィールド用フィールドシフトパルス（図５、▲５▼、Ｈ２）により最初の１ＶＤ期間に読み出す（図５、▲５▼、Ｉ２）。さらにＣＰＵは連続した次のＶＤ（図５、▲６▼、Ａ２）に同期した第二フィールド用フィールドシフトパルスを出力するようにＴＧへ命令を出す。これによりＴＧからは連続した次のＶＤに同期した第二フィールド用フィールドシフトパルスが出力され（図５、▲６▼、Ｊ２）、第二フィールドの電荷が垂直転送路に出力される。図２の第２フィールド読み出し欄に○がついている列が第二フィールド用フィールドシフトパルスにより第一フィールドに引き続き次のＶＤ期間内に読み出される（図５、▲６▼、Ｋ２）。これにより１ＶＤ期間内に垂直方向１ラインづつ間引いた信号が読み出され、連続した２ＶＤ期間でＣＣＤ内の全画素が読み出される。
【００７６】
垂直転送路へ出力された電荷はＨＤに同期した４位相の垂直転送パルス（図１１、Ｐ７，Ｑ７，Ｒ７，Ｓ７）により１Ｈ毎に水平転送路へ順番に送り出される。またＴＧから出力される２位相の水平転送パルス（図１１、Ｎ７，Ｏ７）をＨＤｒで水平転送路に出力し、１Ｈ期間内に水平方向の電荷をすべてＣＣＤからＣＤＳへ出力する。これにより１Ｖ期間内に一フィールド分の電荷をＣＣＤからすべて出力させることができる。
【００７７】
次に露光条件によりシャッタースピードが変化したときの状態を説明する。
【００７８】
図５は高速シャッタースピードを使用したときのタイミングチャート、図６は低速シャッタースピードを使用したときのタイミングチャート、図７は長秒時シャッタースピードを使用したときのタイミングチャートである。
【００７９】
いずれの場合も、電子シャッターパルスが停止し、シャッタークローズ命令がＣＰＵから出力され（図５、▲３▼、Ｅ２）（図６、▲３▼、Ｅ２）（図７、▲３▼、Ｅ２）、メカシャッターが閉じるまでの期間が露光期間（図５、▲３▼、Ｇ２）（図６、▲３▼、Ｇ２）（図７、▲３▼と▲４▼、Ｇ２）となり、この時点から次の読み出しパルスが出力されるまでが、ＣＣＤのフォトダイオードに電荷が保持される期間となる（図５、▲４▼、Ｌ２）（図６、▲４▼、Ｌ２）（図７、▲５▼、Ｌ２）。
【００８０】
上記で説明したように、それぞれの条件下において、すべての条件下で露光終了後のＶＤのタイミングを同じにするとともに、その次の１ＶＤ期間は同じ時間に設定することができるので、メカシャッターが閉じてから第一フィールド用フィールドシフトパルスが出力されるまでの期間は等しくなる。
【００８１】
（実施の形態３）
図８、９を用いて、本実施の形態の撮像装置について説明する。以下では、実施の形態２と異なる部分を説明し、同じ部分については省略する。
【００８２】
まず、図８の動作について説明する。
【００８３】
本実施の形態では、暗電圧を吐き出すために行う１ＶＤ期間に対し（図８、▲４▼）、すべてのＨＤを高速レートで駆動し、垂直転送は通常の垂直転送パルスにより行う。つまり通常のＨＤレートで駆動しているときに、垂直転送パルスを出力していた期間をそのまま残し、それ以外の期間を短縮することによりＨＤのレートを速くする。
【００８４】
１ＶＤ期間すべて高速なＨＤレートで転送するため、フォトダイオードが電荷を保持する期間が短くなる。また、この期間はいつも一定の期間とすることにより、シャッタ速度が異なった場合でも、ばらつきが出ることはない。
【００８５】
ＨＤを高速レートにした場合の動作について図１０、１１を用いて説明する。
【００８６】
例えば通常のＨＤ（図１０、Ｂ１）期間内に１０個のＨＤパルスを出力するようにレートを高速にしたＨＤを使い、このＨＤに同期した垂直転送パルスを出力させ（図１０、Ｐ５，Ｑ５，Ｒ５，Ｓ５）、高速転送と同じ役割を担わせる。このときは暗電圧の信号が高速に水平転送路へ送り出されているため、水平転送パルスを動作させ（図１０、Ｎ４，Ｏ４、または図１０、Ｎ５，Ｏ５）、この信号をＣＣＤの外に吐き出す必要がある。
【００８７】
ＶＤ出力後、水平転送パルスを通常の転送に戻す（図１１、Ｎ７、Ｑ７）が、高速に垂直転送を行った場合、水平転送路上で電荷があふれ、すべての電荷を転送しきれないことがあるので、高速転送した後は最低でも１ＨＤの期間は通常のＨＤレートに戻し、水平転送路上の電荷をすべて吐き出す必要がある。
【００８８】
次に、図９を用いて、電荷の読み出しについて、他の動作について説明する。
【００８９】
第一フィールドが読み出された（図９、▲５▼、Ｉ３）後、第二フィールド用フィールドシフトパルスが出力（図９、▲７▼、Ｊ３）されるまでの間に、垂直転送路の暗電圧を吐き出すための１ＶＤ期間（図９、▲６▼、Ａ３）を設け、第二フィールド用フィールドシフトパルスを出力する前の１ＶＤ期間すべてのＨＤを高速レートで駆動し、垂直転送は通常の垂直転送パルスにより行う。つまり通常のＨＤレートで駆動しているときに、垂直転送パルスを出力していた期間をそのまま残し、それ以外の期間を短縮することによりＨＤのレートを早くする。この暗電圧吐き出しが終了後、第二フィールド用フィールドシフトパルスを出力し（図９、▲７▼、Ｊ３）、ＣＣＤのフォトダイオードから電荷を垂直転送路へ移動させ、ＣＣＤ出力を得る（図９、▲７▼、Ｋ３）。したがって第一フィールド用と第二フィールド用フィールドシフトパルスの直前の暗電圧吐き出しのための１ＶＤ期間は同じ状態になり、この期間はいつも一定の期間となりばらつきが出ることはない。なおこの暗電圧の吐き出しのための１ＶＤ期間に同期したフィールドシフトパルスはあらかじめ禁止しておく。
【００９０】
以上説明したように、実施の形態１乃至３では、以下のような効果を有する。
【００９１】
電荷をフォトダイオードに保持する期間をコントロールでき、またこの期間を短く設定することができるので、暗電流を抑えることができ、ノイズを極力抑制することができる。また、フォトダイオードの電荷減少を極力抑えることができ、Ｄレンジの減少を防ぐことができる。
【００９２】
シャッタスピードによらず、フォトダイオードに電荷を保持し続ける期間を一定にすることができるため、暗電流にむらを生じることはない。また、シャッタースピードによってＤレンジにむらを生じることはない。
【００９３】
連続撮影など、シャッターが閉じるタイミングによらず、撮影間隔をいつも一定にすることができ、撮影間隔を短くすることができる。
【００９４】
総画素数の大きなＣＣＤを使用した場合でも、ＶＤのレートに捕らわれずに高速に−画素を読み出すことができる。
【００９５】
ＣＣＤ駆動時の消費電流を抑えることができる。
【００９６】
【発明の効果】
本発明では、高画質な映像を得ることが可能となる。
【図面の簡単な説明】
【図１】実施の形態および従来例を説明するためのＣＣＤの画素配列を表す図である。
【図２】実施の形態および従来例を説明するためのＣＣＤの画素配列を表す図である。
【図３】実施の形態および従来例を説明するための撮像装置のブロック図である。
【図４】実施の形態１を説明するためのタイミングチャート図である。
【図５】実施の形態２を説明するためのタイミングチャート図である。
【図６】実施の形態２を説明するためのタイミングチャート図である。
【図７】実施の形態２を説明するためのタイミングチャート図である。
【図８】実施の形態３を説明するためのタイミングチャート図である。
【図９】実施の形態３を説明するためのタイミングチャート図である。
【図１０】実施の形態１乃至３を説明するためのタイミングチャート図である。
【図１１】実施の形態１乃至３を説明するためのタイミングチャート図である。
【図１２】従来例を説明するためのタイミングチャート図である。
【符号の説明】
１  ＣＣＤ
２  ＣＤＳ
３  ＡＤ
４  ＤＳＰ
５  ＨＤｒ
６  ＶＤｒ
７  ＴＧ
８  ＣＰＵ
９  レンズ駆動回路
１０  撮影レンズ
１１  絞り駆動回路
１２  絞り
１３  レリ−ズスイッチ
１４  基準信号発生回路
【図１】
0004700855.tif 000002
【図２】
0004700855.tif 000003
【図３】
0004700855.tif 000004
【図４】
0004700855.tif 000005
【図５】
0004700855.tif 000006
【図６】
0004700855.tif 000007
【図７】
0004700855.tif 000008
【図８】
0004700855.tif 000009
【図９】
0004700855.tif 000010
【図１０】
0004700855.tif 000011
【図１１】
0004700855.tif 000012
【図１２】
0004700855.tif 000013